(57)【要約】      （修正有）【課題】本発明の自動販売機は、極力ヒートポンプ加温システムを運転し、効率の良い自動販売機とすると共に、結露検知手段を設けて運転を切り替えることにより結露を防ぎながら、運転性能の良い加温運転を行うことができる自動販売機を提供する。【解決手段】結露検知手段３８により結露有りと検知された場合、加温ヒータ３９による加温運転に変更し、庫外熱交換器３５を共有した左室１５または中室１６の冷却運転による庫外熱交換器３５の熱を利用して、結露状態を乾燥させることができる。【選択図】図１
2008242910.tif 000002
【特許請求の範囲】
【請求項１】
商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段とを備え、前記ホット／コールド切換室がホット室として設定され、前記ヒートポンプ加温システムによる加温運転中に、前記結露検知手段により結露有りと検知された場合、前記ヒートポンプ加温システムを停止して前記加温ヒータによる加温運転に変更し、前記コールド室の冷却運転のみ行うことを特徴とする自動販売機。
【請求項２】
商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記加温ヒータによる加温運転中に、前記結露検知手段により結露無しと検知され、前記外気温検知手段による外気温検知温度が所定温度を検知した場合、前記ホット／コールド切換室を前記加温ヒータによる加温運転から前記ヒートポンプ加温システムによる加温運転に変更することを特徴とする自動販売機。
【請求項３】
商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記加温ヒータと前記ヒートポンプ加温システムによる加温運転中に、前記結露検知手段により結露無しと検知され、前記外気温検知手段による外気温検知温度が所定温度を検知した場合、前記ホット／コールド切換室を前記加温ヒータによる加温運転から前記ヒートポンプ加温システムによる加温運転に変更すること特徴とする自動販売機。
【請求項４】
商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記ヒートポンプ加温システムによる加温運転中に、前記結露検知手段により結露無しと検知され、前記外気温検知手段による外気温検知温度が所定温度を検知した場合、前記ホット／コールド切換室を前記ヒートポンプ加温システムによる加温運転から前記加温ヒータと前記ヒートポンプ加温システムによる加温運転に変更することを特徴とする自動販売機。
【請求項５】
商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段とを備え、前記ホット／コールド切換室が前記ヒートポンプ加温システムによる加温運転中に、結露検知手段が異常と判断した場合、前記ホット／コールド切換室を前記加温ヒータによる加温運転に変更することを特徴とする自動販売機。
【発明の詳細な説明】
【技術分野】
【０００１】
本発明は、蒸発器が結露を検知した場合に、結露状態を乾燥させながら、加温運転を切り換える自動販売機に関するものである。
【背景技術】
【０００２】
近年、環境保護が叫ばれる中、自動販売機業界においてもトップランナー制の導入などに伴い機器の省エネルギー化が進んでいる。
【０００３】
自動販売機の省エネ化技術としては、特に加温側の省エネルギーが有効であり、加温ヒータを使わず、加温効率が加温ヒータの値である１以上であるヒートポンプ加温システムを用いることにより、省エネルギーを図る技術が提案されている。また、著者らは、外気の熱を利用して加温する簡便な構成を提案している。
【０００４】
以下、図面を参照しながら上記従来の自動販売機を説明する。
【０００５】
図１３は従来の自動販売機のシステム図である。図１３に示すように、従来の自動販売機は、冷却側圧縮機１、冷却側凝縮器２、第１の冷却側減圧手段３、第２の冷却側減圧手段４、第３の冷却側減圧手段５、第１の冷却側蒸発器６、第２の冷却側蒸発器７、第３の冷却側蒸発器８からなる冷却システム９と、加温側圧縮機１０と、加温側凝縮器１１と、加温側減圧手段１２と、加温側蒸発器１３とからなるヒートポンプ加温システム１４を備えている。
【０００６】
以上のように構成された自動販売機について、以下その動作を説明する。
【０００７】
加温運転時、加温側圧縮機１０で圧縮された高温高圧のガス冷媒は、加温側凝縮器１１で放熱し、自動販売機（図示せず）庫内を加温し凝縮した後加温側減圧手段１２で減圧され、低温低圧の液冷媒となり、加温側蒸発器１３で外気と熱交換し、蒸発した後、加温側圧縮機１０へと吸い込まれる。
【０００８】
また、この時加温側蒸発器１３は低温となり、外気の湿度が高く、露点温度が高い時などには表面に水分が結露する。
【０００９】
しかしながら本体下部に加温側蒸発器１３を備えた構成の自動販売機においては結露水を排水することは困難であり、結露水が落下し床を濡らさないために、結露をさせないことが必要であった。
【００１０】
これに対処する手段としては、結露検知手段により庫外熱交換器の結露を検知し、運転を切り替え、結露を防止する手段があった（例えば、特許文献１参照）。
【特許文献１】特開平６−２５７８３５号公報
【発明の開示】
【発明が解決しようとする課題】
【００１１】
しかしながら、結露検知手段により結露を検知した場合、結露を防止するために除湿運転に切り替えているため、結露状態がなくなるまでの除湿運転をしている間は本来の輻射空調を行えないことになり、結露により、本来の性能が出ていないという課題があった。
【００１２】
本発明の目的は、加温運転において極力ヒートポンプ加温システムを運転し、効率の良い自動販売機とすると共に、結露検知手段を設けて結露を検知し、運転を切り替え、結露状態を乾燥させながら、効率良く加温運転することである。
【課題を解決するための手段】
【００１３】
上記従来の課題を解決するために、本発明の加温運転は、コールド室の冷却側凝縮器とホット／コールド切換室の加温側蒸発器のフィンを共有した一体の庫外熱交換器と、結露検知手段を設けることにより、結露検知手段により結露状態を検知した場合において、ヒートポンプ加温システムを停止し、加温ヒータでホット／コールド切換室を加温すると同時に、結露した庫外熱交換器をコールド室の加温側蒸発器の熱を利用して乾燥させることができ、効率良い加温運転を行うことができる。
【発明の効果】
【００１４】
本発明の自動販売機は、極力ヒートポンプ加温システムを運転し、効率の良い自動販売機とすると共に、結露検知手段を設けて結露状態を検知し、結露有りと検知した場合には結露状態を乾燥させながら、運転効率の良い加温運転を行うことができる。
【発明を実施するための最良の形態】
【００１５】
請求項１に記載の発明は、商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段とを備え、前記ホット／コールド切換室がホット室として設定され、前記ヒートポンプ加温システムによる加温運転中に、前記結露検知手段により結露有りと検知された場合、前記ヒートポンプ加温システムを停止して前記加温ヒータによる加温運転に変更し、前記コールド室の冷却運転のみ行うことで前記庫外熱交換器を共有したコールド室の冷却運転による前記庫外熱交換器の熱を利用して、前記ヒートポンプ加温システムによる加温運転にて結露状態となった前記庫外熱交換器の結露状態を乾燥させることができる。
【００１６】
請求項２に記載の発明は、商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記加温ヒータによる加温運転中に、前記結露検知手段により結露無しと検知され、前記外気温検知手段による外気温検知温度が所定温度を検知した場合、前記ホット／コールド切換室を前記加温ヒータによる加温運転から前記ヒートポンプ加温システムによる加温運転に変更することで、外気温度にあった加温運転に変更することで効率の良い加温運転を行い、省エネを図ることができる。
【００１７】
請求項３に記載の発明は、商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記加温ヒータと前記ヒートポンプ加温システムによる加温運転中に、前記結露検知手段により結露無しと検知され、前記外気温検知手段による外気温検知温度が所定温度を検知した場合、前記ホット／コールド切換室を前記加温ヒータによる加温運転から前記ヒートポンプ加温システムによる加温運転に変更することで、前記加温ヒータと前記ヒートポンプ加温システムによる加温運転を必要とせず、前記ヒートポンプ加温システムによる加温運転にて十分能力が得られる外気温度になった場合に、前記ヒートポンプ加温システムによる加温運転で省エネを図ることができる。
【００１８】
請求項４に記載の発明は、商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段と、外気温度を検知する外気温検知手段とを備え、前記ホット／コールド切換室が前記ヒートポンプ加温システムによる加温運転中に、前記結露検知手段により結露無しと検知され、前記外気温検知手段による外気温検知温度が所定温度を検知した場合、前記ホット／コールド切換室を前記ヒートポンプ加温システムによる加温運転から前記加温ヒータと前記ヒートポンプ加温システムによる加温運転に変更することで、前記加温ヒータと前記ヒートポンプ加温システムによる加温運転を必要とする外気温度になった場合に、前記加温ヒータと前記ヒートポンプ加温システムによる加温運転で効率良く加温運転を行うことができる。
【００１９】
請求項５に記載の発明は、商品を収納するホット／コールド切換室とコールド室を有する自動販売機において、前記コールド室を冷却する冷凍サイクルの凝縮器と、前記ホット／コールド切換室を加温する冷凍サイクルの蒸発器を構成するフィンを共有にした一体の庫外熱交換器を備え、大気の熱を利用して前記ホット／コールド切換室を加温するヒートポンプ加温システムと、前記ホット／コールド切換室を加温する加熱源として加温ヒータと、前記庫外熱交換器の結露を検知する結露検知手段とを備え、前記ホット／コールド切換室が前記ヒートポンプ加温システムによる加温運転中に、結露検知手段が異常と判断した場合、前記ホット／コールド切換室を前記加温ヒータによる加温運転に変更することで、結露した状態での前記ヒートポンプ加温システムの加温運転を回避することができる。
【００２０】
（実施の形態１）
図１は、本発明の実施の形態１における自動販売機のシステム図である。図２は同実施の形態の庫外熱交換器の斜視図である。図３は同実施の形態の自動販売機の機能ブロック図である。図４は同実施の形態の自動販売機の動作を示すフローチャートである。
【００２１】
図１と図２において、冷却専用の左室１５と、中室１６と、冷却および加温ができる右室１７を備えた自動販売機１８本体は、下部に冷却加温サイクル１９を備えている。冷却加温サイクル１９は、冷却側圧縮機２０と、冷却側凝縮器２１と、第１の冷却側減圧手段２２と、第２の冷却側減圧手段２３と、第３の冷却側減圧手段２４と、第１の冷却側蒸発器２５と、第２の冷却側蒸発器２６と、第３の冷却側蒸発器２７とからなる冷却システム２８と、加温側圧縮機２９と、加温側凝縮器３０と、加温側減圧手段３１と、加温側蒸発器３２とからなるヒートポンプ加温システム３３により構成されており、冷却側凝縮器２１と加温側蒸発器３２はフィン３４を共有することにより一体の庫外熱交換器３５を構成している。
【００２２】
庫外熱交換器３５は熱交換ファン３６により周囲の空気と熱交換し、最も外側のフィン３４の外側加温側蒸発器３２の蒸発器入口配管３７近傍には、例えば結露膜などにより結露すると抵抗値が急激に上昇するような特性を持った結露センサーなどの結露検知手段３８が貼り付けられている。結露検知手段３８の抵抗値が、フィン３４の温度が露点温度以下になる手前、例えば湿度９０％以上になると結露していると判断を行う。また、加温ヒータ３９が、右室の加温システムの一部として構成されている。
【００２３】
図３において、ヒートポンプ加温システム３３は、大気の熱を利用して右室１７を加温する。結露検知手段３８は庫外熱交換器３５の結露を検知する。加温ヒータ３９は右室１７を加温する。室内温度検知手段４１はヒートポンプ加温システム３３および加温ヒータ３９による加温による右室１７の温度を検知する。演算制御部５１ａは、右室１７がヒートポンプ加温システム３３または加温ヒータ３９とヒートポンプ加温システム３３による加温運転中に、結露検知手段３８により結露有りと検知された場合、右室１７をヒートポンプ加温システム３３または加温ヒータ３３とヒートポンプ加温システム３３による加温運転から加温ヒータ３９による加温運転に変更する。
【００２４】
図４において、以上のように構成された自動販売機について、以下その動作を説明する。演算制御部５１ａは右室１７がヒートポンプ加温システム３３または加温ヒータ３９とヒートポンプ加温システム３３による加温運転中に、結露検知手段３８により結露したかを判定し（ＳＴＥＰ１）、結露有りと検知された場合、右室１７をヒートポンプ加温システム３３または加温ヒータ３３またはヒートポンプ加温システム３３による加温運転から加温ヒータ３９による加温運転に変更する（ＳＴＥＰ２）。
【００２５】
以上のように本実施の形態１の自動販売機によれば、右室１７がヒートポンプ加温システム３３または加温ヒータ３９とヒートポンプ加温システム３３による加温運転中に、結露状態有りと検知された場合に右室１７をヒートポンプ加温システム３３または加温ヒータ３９とヒートポンプ加温システム３３から加温ヒータ３９による加温運転に変更することで、ヒートポンプ加温システム３３による加温運転にて発生した庫外熱交換器３５の結露状態を、庫外熱交換器３５を共有した左室１５または中室１６の冷却運転による庫外熱交換器の熱を利用して、ヒートポンプ加温システム３３による加温運転にて結露状態となった庫外熱交換器３５の結露状態を乾燥させ、結露水による排水処理を不要とすることができる。
【００２６】
（実施の形態２）
図５は本発明の実施の形態２における自動販売機の機能ブロック図である。図６は、同実施の形態の自動販売機の動作を示すフローチャートである。図５において、ヒートポンプ加温システム３３は、大気の熱を利用して右室１７を加温する。結露検知手段３８は庫外熱交換器３５の結露を検知する。加温ヒータ３９は右室１７を加温する。室内温度検知手段４１はヒートポンプ加温システム３３および加温ヒータ３９による加温による右室１７の温度を検知する。外気温度検知手段４２は外気温度を検知する。演算制御部５１ｂは、右室１７が加温ヒータ３９による加温運転中に、結露検知手段３８により結露無しと検知され、外気温度検知手段４２による外気温検知温度が所定温度Ｓ２以上を検知した場合、右室１７を加温ヒータ３９による加温運転からヒートポンプ加温システム３３または加温ヒータ３９とヒートポンプ加温システム３３による加温運転に変更する。
【００２７】
図６において、以上のように構成された自動販売機について、以下その動作を説明する。演算制御部５１ｂは右室１７が加温ヒータ３９による加温運転中に、結露検知手段３８により結露したかを判定し（ＳＴＥＰ１）、結露無しと検知された場合、外気温度検知手段４２により所定温度Ｓ２以上を検知したかを判定し（ＳＴＥＰ２）、所定温度Ｓ２以上を検知した場合に右室１７を加温ヒータ３９による加温運転からヒートポンプ加温システム３３による加温運転に変更し、所定温度Ｓ２未満を検知した場合に右室１７を加温ヒータ３９による加温運転から加温ヒータ３９とヒートポンプ加温システム３３による加温運転に変更する（ＳＴＥＰ３）。
【００２８】
以上のように本実施の形態２の自動販売機によれば、結露検知手段３８により結露有りを検知し、右室１７が加温ヒータ３９による加温運転中に、結露検知手段３８により結露無しと検知された場合に、極力ヒートポンプ加温システム３３を動作させることで省エネ運転を図ることができる。
【００２９】
（実施の形態３）
図７は本発明の実施の形態３における自動販売機の機能ブロック図である。図８は、同実施の形態の自動販売機の動作を示すフローチャートである。図７において、ヒートポンプ加温システム３３は、大気の熱を利用して右室１７を加温する。結露検知手段３８は庫外熱交換器３５の結露を検知する。加温ヒータ３９は右室１７を加温する。室内温度検知手段４１はヒートポンプ加温システム３３および加温ヒータ３９による加温による右室１７の温度を検知する。外気温度検知手段４２は外気温度を検知する。演算制御部５１ｃは、右室１７が加温ヒータ３９とヒートポンプ加温システム３３による加温運転中に、結露検知手段３８により結露無しと検知され、外気温度検知手段４２による外気温検知温度が所定温度Ｓ３を検知した場合、右室１７を加温ヒータ３９とヒートポンプ加温システム３３による加温運転からヒートポンプ加温システム３３による加温運転に変更する。
【００３０】
図８において、以上のように構成された自動販売機について、以下その動作を説明する。演算制御部５１ｃは右室１７が加温ヒータ３９とヒートポンプ加温システム３３による加温運転中に、結露検知手段３８により結露したかを判定し（ＳＴＥＰ１）、結露無しと検知された場合、外気温度検知手段４２により所定温度Ｓ３以上を検知したかを判定し（ＳＴＥＰ２）、所定温度Ｓ３以上を検知した場合に右室１７を加温ヒータ３９とヒートポンプ加温システム３３による加温運転からヒートポンプ加温システム３３による加温運転に変更する（ＳＴＥＰ３）。
【００３１】
以上のように本実施の形態３の自動販売機によれば、右室１７が加温ヒータ３９とヒートポンプ加温システム３３による加温運転中に、結露検知手段３８により結露無しと検知され、ヒートポンプ加温システム３３にて十分に能力が得られる外気温度１５℃以上になった場合に右室１７を加温ヒータ３９とヒートポンプ加温システム３３による加温からヒートポンプ加温システム３３による加温運転にすることで省エネを図ることができる。
【００３２】
（実施の形態４）
図９は本発明の実施の形態４における自動販売機の機能ブロック図である。図１０は、同実施の形態の自動販売機の動作を示すフローチャートである。図９において、ヒートポンプ加温システム３３は、大気の熱を利用して右室１７を加温する。結露検知手段３８は庫外熱交換器３５の結露を検知する。加温ヒータ３９は右室１７を加温する。室内温度検知手段４１はヒートポンプ加温システム３３および加温ヒータ３９による加温による右室１７の温度を検知する。外気温度検知手段４２は外気温度を検知する。演算制御部５１ｄは、右室１７が加温ヒータとヒートポンプ加温システムによる加温中に、結露検知手段３８により結露無しと検知され、外気温度検知手段４２による外気温度が所定温度Ｓ４を検知した場合、右室１７をヒートポンプ加温システム３３による加温運転から加温ヒータ３９とヒートポンプ加温システム３３による加温運転に変更する。
【００３３】
図１０において、以上のように構成された自動販売機について、以下その動作を説明する。演算制御部５１ｄは右室１７が加温ヒータ３９とヒートポンプ加温システム３３による加温運転中に、結露検知手段３８により結露したかを判定し（ＳＴＥＰ１）、結露無しと検知された場合、外気温度検知手段４２により所定温度Ｓ４を検知したかを判定し（ＳＴＥＰ２）、所定温度を検知した場合に右室１７をヒートポンプ加温システム３３による加温運転から加温ヒータ３９とヒートポンプ加温システム３３による加温運転に変更する（ＳＴＥＰ４）。
【００３４】
以上のように本実施の形態４の自動販売機によれば、右室１７がヒートポンプ加温システム３３により加温運転中に、結露検知手段３８により結露無しと検知され、右室１７が加温ヒータ３９とヒートポンプ加温システム３３による加温運転を必要となる外気温度１５℃未満を検知した場合に、ヒートポンプ加温システム３３では運転能力が足りない温度域を加温ヒータ３９により補助しながら、ヒートポンプ加温システム３３による加温運転を行うことで、省エネ運転を極力図りながら、右室１７の温度安定を行うことができる。
【００３５】
（実施の形態５）
図１１は本発明の実施の形態５における自動販売機の機能ブロック図である。図１２は同実施の形態の自動販売機の動作を示すフローチャートである。図１１において、ヒートポンプ加温システム３３は、大気の熱を利用して右室１７を加温する。結露検知手段３８は庫外熱交換器３５の結露を検知する。加温ヒータ３９は右室１７を加温する。室内温度検知手段４１はヒートポンプ加温システム３３および加温ヒータ３９による加温による右室１７の温度を検知する。外気温度検知手段４２は外気温度を検知する。演算制御部５１ｅは、右室１７がヒートポンプ加温システム３３または加温ヒータ３９とヒートポンプ加温システム３３による加温運転中に結露検知手段３８が異常と検知された場合、右室１７を加温ヒータ３９とヒートポンプ加温システム３３による加温運転またはヒートポンプ加温システム３３による加温運転から加温ヒータ３９による加温運転に変更する。
【００３６】
図１２において、以上のように構成された自動販売機について、以下その動作を説明する。演算制御部５１ｅは結露検知手段３８により異常かどうかを判定し（ＳＴＥＰ１）、結露検知手段３８が異常と検知された場合、右室１７を加温ヒータ３９とヒートポンプ加温システム３３による加温運転またはヒートポンプ加温システム３３による加温運転から加温ヒータ３９による加温運転に変更する（ＳＴＥＰ２）。
【００３７】
以上のように本実施の形態５の自動販売機によれば、結露検知手段３８により結露状態を検知できなくなった場合に、加温ヒータ３９による加温運転に変更することで、霜詰まり発生による故障に到ることを回避することができる。
【産業上の利用可能性】
【００３８】
以上のように、本発明の自動販売機は、極力ヒートポンプ加温システムを運転し、効率の良い自動販売機とすると共に、結露検知手段を設けて運転を切り替えることにより結露を防ぎながら、運転性能の良い加温運転を行うことができる自動販売機を提供する。
【図面の簡単な説明】
【００３９】
【図１】本発明の実施の形態１における自動販売機のシステム図
【図２】同実施の形態による庫外熱交換器の斜視図
【図３】同実施の形態による自動販売機の機能ブロック図
【図４】同実施の形態による自動販売機の動作を示すフローチャート
【図５】本発明の実施の形態２による自動販売機の機能ブロック図
【図６】同実施の形態による自動販売機の動作を示すフローチャート
【図７】本発明の実施の形態３による自動販売機の機能ブロック図
【図８】同実施の形態による自動販売機の動作を示すフローチャート
【図９】本発明の実施の形態４による自動販売機の機能ブロック図
【図１０】同実施の形態による自動販売機の動作を示すフローチャート
【図１１】本発明の実施の形態５による自動販売機の機能ブロック図
【図１２】同実施の形態による自動販売機の動作を示すフローチャート
【図１３】従来の自動販売機のシステム図
【符号の説明】
【００４０】
１５  左室
１６  中室
１７  右室
１８  自動販売機
１９  冷却加温サイクル
２０  冷却側圧縮機
２１  冷却側凝縮器
２２  第１の冷却側減圧手段
２３  第２の冷却側減圧手段
２４  第３の冷却側減圧手段
２５  第１の冷却側蒸発器
２６  第２の冷却側蒸発器
２７  第３の冷却側蒸発器
２８  冷却システム
２９  加温側圧縮機
３０  加温側凝縮器
３１  加温側減圧手段
３２  加温側蒸発器
３３  ヒートポンプ加温システム
３４  フィン
３５  庫外熱交換器
３６  熱交換ファン
３７  蒸発器入口配管
３８  結露検知手段
３９  加温ヒータ
【図１】
2008242910.tif 000003
【図２】
2008242910.tif 000004
【図３】
2008242910.tif 000005
【図４】
2008242910.tif 000006
【図５】
2008242910.tif 000007
【図６】
2008242910.tif 000008
【図７】
2008242910.tif 000009
【図８】
2008242910.tif 000010
【図９】
2008242910.tif 000011
【図１０】
2008242910.tif 000012
【図１１】
2008242910.tif 000013
【図１２】
2008242910.tif 000014
【図１３】
2008242910.tif 000015